(57)【要約】【課題】スーツケース錠の実用性を高める。【解決手段】錠本体を含み、錠本体内にはＵＳＢアダプタ１が設けられ、該ＵＳＢアダプタ１は、ＵＳＢ入力ポート２、回路基板４、及び少なくとも１つのＵＳＢ出力ポート３を含む。ＵＳＢ入力ポート２の一端は回路基板４に接続され、他端は錠本体から延伸してスーツケース内に位置する。ＵＳＢ出力ポート３の一端は回路基板４に接続し、他端は錠本体から延伸してスーツケース外に位置する。錠本体内にＵＳＢアダプタ１を設けることで、モバイルバッテリーをスーツケース内に置いてＵＳＢアダプタ１のＵＳＢ入力ポート２に接続でき、使用者は直接データケーブルを介してスーツケース外に位置するＵＳＢアダプタ１のＵＳＢ出力ポート３に接続でき、このようにして、モバイルバッテリー又は別の充電装置をスーツケース内に置くことができ、使用者の両手を解放し、モバイルバッテリーによる使用者への負担を取り除く。【選択図】図１
2018183555.tif 000002
【特許請求の範囲】
【請求項１】
錠本体を含み、前記錠本体内には、ＵＳＢ入力ポートと、回路基板と、少なくとも１つの出力ポートとを含むＵＳＢアダプタが設けられ、前記ＵＳＢ入力ポートは、一端が回路基板に接続されると共に、他端が錠本体から延伸してスーツケース内に位置し、前記ＵＳＢ出力ポートは、一端が回路基板に接続されると共に、他端が錠本体から延伸してスーツケース外に位置することを特徴とするＵＳＢポート付きのスーツケース錠。
【請求項２】
前記ＵＳＢ出力ポートは２つ設けられており、前記回路基板にＵＳＢ分岐出力変換回路が設けられていることを特徴とする請求項１に記載のＵＳＢポート付きのスーツケース錠。
【請求項３】
前記錠本体は、
内部に第１装着キャビティを有すると共に、該第１装着キャビティに連通する、ファスナーを挿入するための第１挿入孔を有する第１ケースと、
前記第１装着キャビティ内に摺動可能に装着され、作動部が前記第１挿入孔に係合する第１ラッチフックアセンブリと、
前記第１ケースに摺動可能に設けられ、かつ、前記第１装着キャビティ内に延伸し、前記第１ラッチフックアセンブリに伝動するように接続されている第１ロックシリンダベースと、
前記第１ロックシリンダベース内に回転可能に装着され、下部にリミット部が設けられると共に、前記第１装着キャビティの底部に、所定角度の前記リミット部を貫通させる遮断部が設けられている第１錠芯と、を含むことを特徴とする請求項１に記載のＵＳＢポート付きのスーツケース錠。
【請求項４】
前記リミット部は、前記第１錠芯下部の縁に位置し、前記第１錠芯が初期状態のとき、前記リミット部及び前記遮断部が協働して、前記第１ロックシリンダベースの摺動を阻止し、前記第１錠芯が回転した後、前記リミット部及び前記遮断部が互いにずれて、前記第１ロックシリンダベースの摺動を阻止しなくなることを特徴とする請求項３に記載のＵＳＢポート付きのスーツケース錠。
【請求項５】
前記錠本体は、
内部に第２装着キャビティを有すると共に、該第２装着キャビティに連通する、ファスナーを挿入するための第２挿入孔を有する第２ケースと、
前記第２装着キャビティ内に摺動可能に装着され、作動部が前記第２挿入孔に係合する第２ラッチフックアセンブリと、
前記第２装着キャビティ内に回転可能に装着され、少なくとも２つの位置状態を有し、そのうちの一方の位置状態では、前記第２ラッチフックアセンブリの摺動を制限でき、その他の位置状態では、前記第２ラッチフックアセンブリの摺動を位置制限しない第１回転板と、
前記第２ケースに設けられ、かつ、前記第２装着キャビティ内に延伸し、前記第１回転板が回転するように駆動できる第１ロックシリンダアセンブリと、
前記第２装着キャビティ内に装着され、前記第１回転板が回転するよう駆動するための電気制御開錠アセンブリと、
前記第２ケースに摺動可能に設けられ、かつ、前記第２装着キャビティ内に延伸し、前記第２ラッチフックアセンブリに伝動するように接続されているトグルボタンと、を含むことを特徴とする請求項１に記載のＵＳＢポート付きのスーツケース錠。
【請求項６】
前記電子制御開錠アセンブリは、無線通信モジュール、モータ、及び、スライド板を含み、前記無線通信モジュール及び前記モータは前記第２装着キャビティ内に装着され、前記スライド板は前記第２装着キャビティ内に摺動可能に装着され、前記無線通信モジュールは前記モータに接続され、該モータの出力端にスクリュが接続され、前記スライド板の一端に前記スクリュに係合するねじ山が設けられ、前記スライド板側部に斜面が設けられ、前記第１回転板には前記斜面に係合する伝動ロッドが設けられ、前記斜面が摺動して前記伝動ロッドに係合することにより、前記第１回転板が回転するよう動作するように構成されていることを特徴とする請求項５に記載のＵＳＢポート付きのスーツケース錠。
【請求項７】
前記第１ロックシリンダアセンブリは、第２ロックシリンダベースと、該第２ロックシリンダベース内に回転可能に装着された第２錠芯とを含み、該第２錠芯の下方にシフトブロックが設けられ、該シフトブロックには前記第１回転板に係合する螺旋形曲面を有することを特徴とする請求項５に記載のＵＳＢポート付きのスーツケース錠。
【請求項８】
前記無線通信モジュールは、ブルートゥース（登録商標）通信モジュール又は赤外線通信モジュールが設けられていることを特徴とする請求項６に記載のＵＳＢポート付きのスーツケース錠。
【請求項９】
前記錠本体は、
内部に第３装着キャビティを有すると共に、該第３装着キャビティに連通する、ファスナーを挿入するための第３挿入孔を有する第３ケースと、
前記第３装着キャビティ内に摺動可能に装着され、作動部が前記第３挿入孔に係合する第３ラッチフックアセンブリと、
前記第３装着キャビティ内に回転可能に装着され、３つの位置状態を有し、そのうちの中間位置状態は、前記第３ラッチフックアセンブリの摺動を制限でき、その他の位置状態は、前記第３ラッチフックアセンブリの摺動を位置制限しない第２回転板と、
前記第３ケースに摺動可能に設けられ、かつ、前記第３装着キャビティ内に延伸し、前記第２回転板が回転するように駆動できる第２ロックシリンダアセンブリと、
前記第２回転板に接触し、暗証番号リング及びリミットリングを含み、該リミットリングは前記暗証番号リングに追随して回転し、前記リミットリングに凹溝が設けられ、前記第２回転板に突起が設けられ、暗証番号が正しいとき、前記突起は凹溝にスライドして入り込み、前記第２回転板は前記暗証番号リングの方向へ回転して前記中間位置状態から離脱する暗証番号錠アセンブリと、を含むことを特徴とする請求項１に記載のＵＳＢポート付きのスーツケース錠。
【請求項１０】
前記第２ロックシリンダアセンブリは、第２ロックシリンダベースと、該第２ロックシリンダベース内に回転可能に装着された第２錠芯とを含み、該第２錠芯の下方にシフトブロックが設けられ、該シフトブロックには前記第２回転板に係合する螺旋形曲面を有することを特徴とする請求項９に記載のＵＳＢポート付きのスーツケース錠。
【発明の詳細な説明】
【技術分野】
【０００１】
本発明は、スーツケース錠分野に関し、特にＵＳＢポート付きのスーツケース錠に関する。
【背景技術】
【０００２】
スーツケースは、旅行時に常用される、物品を収容するツールであり、極めて広く応用されており、一方、科学技術の継続的進歩に伴い、人々の生活レベルも向上し続け、電子製品が広く使用されている。旅行時には、モバイルバッテリーを介して電子製品を充電することがしばしば必要となるが、既存の方法では、モバイルバッテリーを手で持つか、又はモバイルバッテリーを衣服のポケットに入れることとなり、使用者の両手が解放されずに別のことを行う場合の妨げとなる。
【発明の概要】
【発明が解決しようとする課題】
【０００３】
このため、本発明は、上述の課題を解決するため、スーツケースのスーツケース錠にＵＳＢポートを追加することにより、スーツケース錠の実用性を高め、スーツケース錠の機能の種類を増やすことを構想する。
【課題を解決するための手段】
【０００４】
上述の課題を解決するために、本発明は、ＵＳＢポート付きのスーツケース錠を提供する。
本発明がその技術的課題を解決するために採用した技術方案は、以下の通りである。
ＵＳＢポート付きのスーツケース錠であって、錠本体を含み、該錠本体内にはＵＳＢアダプタが設けられ、該ＵＳＢアダプタは、ＵＳＢ入力ポート、回路基板、及び、少なくとも１つのＵＳＢ出力ポートを含む。ＵＳＢ入力ポートの一端は、回路基板に接続され、他端は、錠本体から延伸してスーツケース内に位置する。ＵＳＢ出力ポートの一端は、回路基板に接続され、他端は、錠本体から延伸してスーツケース外に位置する。
前記ＵＳＢ出力ポートは２つ設けられており、回路基板にはＵＳＢ分岐出力変換回路が設けられている。
【０００５】
前記錠本体は、
内部に第１装着キャビティを有すると共に、該第１装着キャビティに連通する、ファスナーを挿入するための第１挿入孔を有する第１ケースと、
前記第１装着キャビティ内に摺動可能に装着され、作動部が前記第１挿入孔に係合する第１ラッチフックアセンブリと、
前記第１ケースに摺動可能に設けられ、かつ、前記第１装着キャビティ内に延伸し、前記第１ラッチフックアセンブリに伝動するように接続されている第１ロックシリンダベースと、
該第１ロックシリンダベース内に回転可能に装着され、下部にリミット部が設けられると共に、前記第１装着キャビティの底部に、所定角度の前記リミット部を貫通させる遮断部が設けられている第１錠芯と、を含む。
前記リミット部は、前記第１錠芯下部の縁に位置し、前記第１錠芯が初期状態のとき、前記リミット部及び前記遮断部が協働して、前記第１ロックシリンダベースの摺動を阻止し、前記第１錠芯が回転した後、前記リミット部及び前記遮断部が互いにずれて、前記第１ロックシリンダベースの摺動を阻止しなくなる。
【０００６】
前記錠本体は、
内部に第２装着キャビティを有すると共に、該第２装着キャビティに連通する、ファスナーを挿入するための第２挿入孔を有する第２ケースと、
前記第２装着キャビティ内に摺動可能に装着され、作動部が前記第２挿入孔に係合する第２ラッチフックアセンブリと、
前記第２装着キャビティ内に回転可能に装着され、少なくとも２つの位置状態を有し、そのうちの一方の位置状態では、前記第２ラッチフックアセンブリの摺動を制限でき、その他の位置状態では、前記第２ラッチフックアセンブリの摺動を位置制限しない第１回転板と、
前記第２ケースに設けられ、かつ、前記第２装着キャビティ内に延伸し、前記第１回転板が回転するように駆動できる第１ロックシリンダアセンブリと、
前記第２装着キャビティ内に装着され、前記第１回転板が回転するよう駆動するための電気制御開錠アセンブリと、
前記第２ケースに摺動可能に設けられ、かつ、前記第２装着キャビティ内に延伸し、前記第２ラッチフックアセンブリに伝動するように接続されているトグルボタンと、を含む。
【０００７】
前記電子制御開錠アセンブリは、無線通信モジュール、モータ、及び、スライド板を含み、前記無線通信モジュール及び前記モータは前記第２装着キャビティ内に装着され、前記スライド板は前記第２装着キャビティ内に摺動可能に装着され、前記無線通信モジュールは前記モータに接続され、該モータの出力端にスクリュが接続され、前記スライド板の一端に前記スクリュに係合するねじ山が設けられ、前記スライド板側部に斜面が設けられ、前記第１回転板には前記斜面に係合する伝動ロッドが設けられ、前記斜面が摺動して前記伝動ロッドに係合することにより、前記第１回転板が回転するよう動作するように構成されている。
前記第１ロックシリンダアセンブリは、第２ロックシリンダベースと、該第２ロックシリンダベース内に回転可能に装着された第２錠芯とを含み、該第２錠芯の下方にシフトブロックが設けられ、該シフトブロックには前記第１回転板に係合する螺旋形曲面を有する。
前記無線通信モジュールは、ブルートゥース（登録商標）通信モジュール又は赤外線通信モジュールが設けられている。
【０００８】
前記錠本体は、
内部に第３装着キャビティを有すると共に、該第３装着キャビティに連通する、ファスナーを挿入するための第３挿入孔を有する第３ケースと、
前記第３装着キャビティ内に摺動可能に装着され、作動部が前記第３挿入孔に係合する第３ラッチフックアセンブリと、
前記第３装着キャビティ内に回転可能に装着され、３つの位置状態を有し、そのうちの中間位置状態は、前記第３ラッチフックアセンブリの摺動を制限でき、その他の位置状態は、前記第３ラッチフックアセンブリの摺動を位置制限しない第２回転板と、
前記第３ケースに摺動可能に設けられ、かつ、前記第３装着キャビティ内に延伸し、前記第２回転板が回転するように駆動できる第２ロックシリンダアセンブリと、
前記第２回転板に接触し、暗証番号リング及びリミットリングを含み、該リミットリングは前記暗証番号リングに追随して回転し、前記リミットリングに凹溝が設けられ、前記第２回転板に突起が設けられ、暗証番号が正しいとき、前記突起は凹溝にスライドして入り込み、前記第２回転板は前記暗証番号リングの方向へ回転して前記中間位置状態から離脱する暗証番号錠アセンブリと、を含む。
前記第２ロックシリンダアセンブリは、第２ロックシリンダベースと、該第２ロックシリンダベース内に回転可能に装着された第２錠芯とを含み、該第２錠芯の下方にシフトブロックが設けられ、該シフトブロックには前記第２回転板に係合する螺旋形曲面を有する。
【発明の効果】
【０００９】
本発明の有益な効果は、以下の通りである。本発明は、錠本体内にＵＳＢアダプタを設けることにより、モバイルバッテリーをスーツケース内に置いてＵＳＢアダプタのＵＳＢ入力ポートに接続できると共に、使用者は、直接データケーブルを介してスーツケース外に位置するＵＳＢアダプタのＵＳＢ出力ポートに接続でき、このようにして、使用者は、モバイルバッテリー又は別の充電装置をスーツケース内に置くことができるため、使用者の両手を解放し、モバイルバッテリーによる使用者への負担を取り除くことができる。本発明の構造は簡単であり、巧みであり、非常に実用的であり、社会の発展がスーツケースに求める要望を満たしている。
【図面の簡単な説明】
【００１０】
【図１】本発明の錠本体に第１の実施形態を採用した場合の概略図である。
【図２】本発明の錠本体に第１の実施形態を採用した場合の分解概略図（その１）である。
【図３】本発明の錠本体に第１の実施形態を採用した場合の分解概略図（その２）である。
【図４】本発明の錠本体に第２の実施形態を採用した場合の概略図である。
【図５】本発明の錠本体に第２の実施形態を採用した場合の分解概略図（その１）である。
【図６】本発明の錠本体に第２の実施形態を採用した場合の分解概略図（その２）である。
【図７】本発明の錠本体に第３の実施形態を採用した場合の概略図である。
【図８】本発明の錠本体に第３の実施形態を採用した場合の分解概略図（その１）である。
【図９】本発明の錠本体に第３の実施形態を採用した場合の分解概略図（その２）である。
【発明を実施するための形態】
【００１１】
まず、図１〜６を参照する。本発明は、ＵＳＢポート付きのスーツケース錠あって、錠本体を含み、錠本体内にはＵＳＢアダプタ１が設けられ、該ＵＳＢアダプタ１は、ＵＳＢ入力ポート２、回路基板４、及び、少なくとも１つのＵＳＢ出力ポート３を含む。ＵＳＢ入力ポート２の一端は、回路基板４に接続され、他端は、錠本体から延伸して、スーツケース内に位置している。ＵＳＢ出力ポート３の一端は、回路基板４に接続され、他端は、錠本体から延伸して、スーツケース外に位置している。本発明は、錠本体内にＵＳＢアダプタ１を設けることにより、モバイルバッテリーをスーツケース内に置いてＵＳＢアダプタ１のＵＳＢ入力ポート２に接続できると共に、使用者は、直接データケーブルを介してスーツケース外に位置するＵＳＢアダプタ１のＵＳＢ出力ポート３に接続でき、このようにして、使用者は、モバイルバッテリー又は別の充電装置をスーツケース内に置くことができるため、使用者の両手を解放し、モバイルバッテリーによる使用者への負担を取り除くことができる。本発明の構造は簡単であり、巧みであり、非常に実用的であり、社会の発展がスーツケースに求める要望を満たしている。
図に示すように、好ましくは、ＵＳＢ出力ポート３は２つ設けられ、この要求を満たすために、回路基板４には、ＵＳＢ分岐出力変換回路が設けられている。このようにして、複数の外部接続設備に電力を供給でき、実用性が非常に高い。
【００１２】
図１〜３に示すのは、錠本体の第１実施形態であり、
内部に第１装着キャビティ６を有し、第１装着キャビティ６に連通する、ファスナーを挿入するための第１挿入孔７を更に有する第１ケース５と、
第１装着キャビティ６内に摺動可能に装着され、作動部が第１挿入孔７に係合する第１ラッチフックアセンブリ８と、
ケースに摺動可能に設けられ、かつ、第１装着キャビティ６内に延伸し、第１ラッチフックアセンブリ８に伝動するように接続されている第１ロックシリンダベース９と、
第１ロックシリンダベース９内に回転可能に装着され、下部にリミット部１１を有し、第１装着キャビティ６の底部に、リミット部１１を所定の角度で貫通させる遮断部１２が設けられる第１錠芯１０と、を含む。
該構造の錠本体は、鍵により第１錠芯１０が回転するよう制御し、延いては、リミット部１１が所定の角度に達するように誘導し、このとき、第１ロックシリンダベース９を摺動するよう押動し、第１ロックシリンダベース９は、第１ラッチフックアセンブリ８が摺動するように押動することにより、スーツケースファスナーに対する開錠を実現する。該構造の錠本体構造は簡単であり、動作が安定している。
【００１３】
図２及び図３を参照すると、前記に引き続き、リミット部１１は、第１ロック錠芯１０下部の縁に位置し、第１錠芯１０が初期状態にあるとき、リミット部１１及び遮断部１２が協働して、第１ロックシリンダベース９の摺動を阻止し、第１錠芯１０が回転した後、リミット部１１及び遮断部１２は、互いにずれて第１ロックシリンダベース９の摺動を阻止しなくなる。リミット部１１の数量は２つであり、両者の接続線は第１錠芯１０の中心を通過する。該構造のリミット部１１及び遮断部１２の係合により、第１ロックシリンダベース９の摺動の可否について、正確に制御を行うことができ、誤って開錠する状況が生じることを防ぐ。
【００１４】
図４〜６に示すのは、錠本体の第２の実施形態であり、
内部に第２装着キャビティ１４を有し、第２装着キャビティ１４に連通する、ファスナーを挿入するための第２挿入孔１５を更に有する第２ケース１３と、
第２装着キャビティ１４内に摺動可能に装着され、作動部が第２挿入孔１５に係合する第２ラッチフックアセンブリ１６と、
第２装着キャビティ１４内に回転可能に装着され、少なくとも２つの位置状態を有し、そのうちの一方の位置状態は、第２ラッチフックアセンブリ１６の摺動を制限でき、その他の位置状態は、第２ラッチフックアセンブリ１６の摺動を位置制限せず、トーションばねによりリセットされる第１回転板１７と、
第２ケース１３に設けられ、かつ、第２装着キャビティ１４内に延伸し、第１回転板１７が回転するよう駆動できる第１ロックシリンダアセンブリと、
第２装着キャビティ１４内に装着され、第１回転板１７が回転するよう駆動するための電気制御開錠アセンブリと、
第２ケース１３に摺動可能に設けられ、かつ、第２装着キャビティ１４内に延伸し、第２ラッチフックアセンブリ１６に伝動するように接続されているトグルボタン２８と、を含む。
【００１５】
当実施形態における錠本体は、２種類の方法で開錠でき、第１の開錠方法は、鍵で第１ロックシリンダアセンブリを開錠し、第１ロックシリンダアセンブリは第１回転板１７が回転するよう動作させ、その後、トグルボタンを押動して開錠を完了するものであり、第２の開錠方法は、電気制御開錠アセンブリを制御することにより第１回転板１７が回転するよう駆動し、その後、トグルボタンを押動して開錠を行うものである。ここで、電気制御開錠アセンブリは、無線制御方式を採用してもよく、例えば、電気制御開錠アセンブリは、無線通信モジュール１８、モータ１９、スライド板２１を含み、無線通信モジュール１８及びモータ１９は、第２装着キャビティ１４内に装着され、スライド板２１は第２装着キャビティ１４内に摺動可能に装着され、無線通信モジュール１８はモータ１９に接続され、モータ１９の出力端にはスクリュ２０が接続され、スライド板２１の一端にはスクリュ２０に係合するねじ山が設けられ、スライド板２１側部には斜面２２が設けられ、第１回転板１７には斜面２２に係合する伝動ロッド２３が設けられ、斜面２２は、摺動して伝動ロッド２３に係合して、第１回転板１７が回転するよう誘導でき、無線通信モジュール１８は、ブルートゥース（登録商標）又は赤外線通信モジュールなどが設けられている。
【００１６】
赤外線又はブルートゥース（登録商標）により無線通信モジュール１８と通信して、モータ１９の作動を制御し、延いては、スライド板２１が移動するよう誘導し、その後、斜面２２は、伝動ロッド２３に係合して第１回転板１７が回転するよう駆動することで、第１回転板１７が第１ロックシリンダアセンブリの摺動を阻止しないようにし、このとき、トグルボタンを押動すると、ファスナーに対する開錠を完了できる。無線制御は、本発明のインテリジェントレベルを高め、ユーザにとって使用しやすい。鍵で開錠する場合について、第１ロックシリンダアセンブリは、第２ロックシリンダベース２４と、第２ロックシリンダベース２４内に回転可能に装着された第２錠芯２５とを含み、第２錠芯２５の下方にはシフトブロック２６が設けられ、該シフトブロック２６は第１回転板１７に係合する螺旋形曲面２７を有する。第２錠芯２５の螺  旋形曲面２７が第１回転板１７に係合することにより、第１回転板１７が回転するよう直接駆動して、第１回転板１７が第１ロックシリンダアセンブリの摺動を阻止しないようにし、このとき、トグルボタンを押動すると、ファスナーに対する開錠を完了できる。
【００１７】
図７〜９に示すのは、錠本体の第３の実施形態であり、錠本体は、
内部に第３装着キャビティを有し、第３装着キャビティに連通する、ファスナーを挿入するための第３挿入孔３０を更に有する第３ケース２９と、
第３装着キャビティ内に摺動可能に装着され、作動部が第３挿入孔３０に係合する第３ラッチフックアセンブリ３１と、
第３装着キャビティ内に回転可能に装着され、３つの位置状態を有し、そのうちの中間位置状態は、第３ラッチフックアセンブリ３１の摺動を制限でき、その他の位置状態は、第３ラッチフックアセンブリ３１の摺動を位置制限しない第２回転板３２と、
ケースに摺動可能に設けられ、かつ、装着キャビティ内に延伸し、第２回転板３２が回転するよう駆動できる第２ロックシリンダアセンブリと、
第２回転板３２に接触し、暗証番号リング３３及びリミットリング３４を含み、リミットリング３４は暗証番号リング３３に追随して回転し、リミットリング３４には凹溝が設けられ、前記回転板には突起３９が設けられ、暗証番号が正しいとき、突起３９は凹溝にスライドして入り込み、回転板は暗証番号リング３３の方向へ回転して中間位置状態から離脱する、暗証番号錠アセンブリと、を含む。
【００１８】
第２ロックシリンダアセンブリは、第２ロックシリンダベース３５と、第２ロックシリンダベース３５内に回転可能に装着された第２錠芯３６とを含み、第２錠芯３６の下方にはシフトブロック３７が設けられ、該シフトブロック３７は第２回転板３２に係合する螺旋形曲面３８を有する。
該構造の錠本体は、暗証番号錠アセンブリ又は第２ロックシリンダアセンブリにより開錠でき、開錠方法が多様化されており、具体的な開錠方法は以下の通りである。鍵により開錠するとき、鍵を第２錠芯３６に挿入し、鍵を回転して第２錠芯３６が回転するよう誘導し、その後、シフトブロック３７は、螺旋形曲面３８が第２回転板３２に係合することにより、回転板が回転するよう駆動して、第２回転板３２が第３ラッチフックアセンブリ３１の摺動を阻止しないようにし、このとき、第２ロックシリンダアセンブリを押動すると、ファスナーに対する開錠を完了できる。暗証番号で開錠するとき、暗証番号リング３３を正確な位置まで回転させると、突起３９は凹溝へスライドして入り込み、回転板は暗証番号リング３３の方向へ回転して、中間位置状態から離脱する。このようにして、第２回転板３２が第３ラッチフックアセンブリ３１の摺動を阻止しないようにし、このとき、第２ロックシリンダアセンブリを押動すると、ファスナーに対する開錠を完了できる。
【００１９】
上述の実施例は、本発明の好ましい方案にすぎず、本発明は、その他の実施形態を更に有することができる。当業者は、本発明の精神に反しないことを前提として、更に等価の変形、又は置き換えを行うことができ、これら等価の変形、又は置き換えは、いずれも、当出願の特許請求の範囲に定められた範囲内に含まれる。
【符号の説明】
【００２０】
１：ＵＳＢアダプタ、２：ＵＳＢ入力ポート、３：ＵＳＢ出力ポート、４：回路基板、５：第１ケース、６：第１装着キャビティ、７：第１挿入孔、８：第１ラッチフックアセンブリ、９：第１ロックシリンダベース、１０：第１錠芯、１１：リミット部、１２：遮断部、１３：第２ケース、１４：第２装着キャビティ、１５：第２挿入孔、１６：第２ラッチフックアセンブリ、１７：第１回転板、１８：無線通信モジュール、１９：モータ、２０：スクリュ、２１：スライド板、２２：斜面、２３：伝動ロッド、２４：第２ロックシリンダベース、２５：第２錠芯、２６：シフトブロック、２７：螺旋形曲面、２８：トグルボタン、２９：第３ケース、３０：第３挿入孔、３１：第３ラッチフックアセンブリ、３２：第２回転板、３３：暗証番号リング、３４：リミットリング、３５：第２ロックシリンダベース、３６：第２錠芯、３７：シフトブロック、３８：螺旋形曲面、３９：突起
【図１】
2018183555.tif 000003
【図２】
2018183555.tif 000004
【図３】
2018183555.tif 000005
【図４】
2018183555.tif 000006
【図５】
2018183555.tif 000007
【図６】
2018183555.tif 000008
【図７】
2018183555.tif 000009
【図８】
2018183555.tif 000010
【図９】
2018183555.tif 000011